(57)【要約】【課題】従来の技術による諸問題を解決するため、収差補正を可能にする光学読み込み装置及び集光装置を提供する。【解決手段】収差を補正できる集光装置は、保存媒体に保存されるデータを読み込むための光線を保存媒体に集束するレンズと、集光装置が光線を保存媒体に集束する光路に設けられ、レンズと結合する液晶層と、液晶層の両側に設けられ、液晶層の電場を変化させる両電極からなる電極セットとを含む。【選択図】図５
2007157310.tif 000002
【特許請求の範囲】
【請求項１】
収差を補正できる集光装置であって、
保存媒体に保存されるデータを読み込むための光線を保存媒体に集束するレンズと、
集光装置が光線を保存媒体に集束する光路に設けられ、レンズと結合する液晶層と、
液晶層の両側に設けられ、液晶層の電場を変化させる両電極からなる電極セットとを含むことを特徴とする集光装置。
【請求項２】
前記電極セットは、
液晶層の第一側に平行するように液晶層の第一側に設けられる第一電極と、
第一電極に平行しないように液晶層の第二側に設けられる第二電極とを含むことを特徴とする請求項１記載の集光装置。
【請求項３】
前記電極セットは更に、
液晶層の第二側に平行するように液晶層の第二側に設けられる第三電極と、
第三電極に平行しないように液晶層の第一側に設けられる第四電極とを含むことを特徴とする請求項２記載の集光装置。
【請求項４】
前記第一電極が第三電極に平行することを特徴とする請求項３記載の集光装置。
【請求項５】
前記第二電極が第四電極に平行することを特徴とする請求項３記載の集光装置。
【請求項６】
前記集光装置は更に、４個の電極にカップリングされ、第一電極と第二電極の間と、第三電極と第四電極の間に電圧差を提供する電源を含むことを特徴とする請求項３記載の集光装置。
【請求項７】
前記電極セットが酸化インジウムすずを含むことを特徴とする請求項１記載の集光装置。
【請求項８】
前記液晶層がレンズ内に設けられることを特徴とする請求項１記載の集光装置。
【請求項９】
前記液晶層と電極セットがレンズ内に設けられることを特徴とする請求項１記載の集光装置。
【請求項１０】
前記液晶層と電極セットのうち１個の電極はレンズ内に設けられ、電極セットのその他の電極はレンズ外に設けられることを特徴とする請求項１記載の集光装置。
【請求項１１】
前記液晶層はレンズ内に設けられ、前記電極セットはレンズ外に設けられることを特徴とする請求項１記載の集光装置。
【請求項１２】
前記液晶層がレンズ外に設けられることを特徴とする請求項１記載の集光装置。
【請求項１３】
前記液晶層と電極セットがレンズ外に設けられることを特徴とする請求項１記載の集光装置。
【請求項１４】
前記液晶層と電極セットのうち１個の電極はレンズ外に設けられ、電極セットのその他の電極はレンズ内に設けられることを特徴とする請求項１記載の集光装置。
【請求項１５】
前記集光装置が光学ピックアップヘッドの対物レンズであることを特徴とする請求項１記載の集光装置。
【請求項１６】
収差を補正できる光学読み込み装置であって、
光線を提供する発光素子と、
保存媒体に保存されるデータを読み込むための発光素子による光線を保存媒体に集束するレンズと、
発光素子から保存媒体までの光路に設けられる液晶層と、
発光素子から保存媒体までの光路に設けられ、液晶層の電場を変化させる電極からなる電極セットとを含み、該電極セットは、
液晶層の第一側に平行するように液晶層の第一側に設けられる第一電極と、
第一電極に平行しないように液晶層の第二側に設けられる第二電極とを含むことを特徴とする光学読み込み装置。
【請求項１７】
前記電極セットは更に、
液晶層の第二側に平行するように液晶層の第二側に設けられる第三電極と、
第三電極に平行しないように液晶層の第一側に設けられる第四電極とを含むことを特徴とする請求項１６記載の光学読み込み装置。
【請求項１８】
前記第一電極が第三電極に平行することを特徴とする請求項１７記載の光学読み込み装置。
【請求項１９】
前記第二電極が第四電極に平行することを特徴とする請求項１７記載の光学読み込み装置。
【請求項２０】
前記光学読み込み装置は更に、４個の電極にカップリングされ、第一電極と第二電極の間と、第三電極と第四電極の間に電圧差を提供する電源を含むことを特徴とする請求項１７記載の光学読み込み装置。
【請求項２１】
前記光学読み込み装置は更に、
発光素子による光線の保存媒体におけるコマ収差を検知する検知器と、
電極セットに電気的に接続され、検知器に検知されたコマ収差に基づいて電極セットに印加される電圧を更新する制御装置とを含むことを特徴とする請求項１６記載の光学読み込み装置。
【請求項２２】
前記発光素子がレーザーダイオードを含むことを特徴とする請求項１６記載の光学読み込み装置。
【請求項２３】
前記光学読み込み装置はＨＤ−ＤＶＤドライブまたはブルーレイディスクドライブの光学ピックアップヘッドを含むことを特徴とする請求項１６記載の光学読み込み装置。
【請求項２４】
前記電極セットの材料が酸化インジウムすずを含むことを特徴とする請求項１６記載の光学読み込み装置。
【請求項２５】
前記液晶層がレンズ内に設けられることを特徴とする請求項１６記載の光学読み込み装置。
【請求項２６】
前記液晶層と電極セットがレンズ内に設けられることを特徴とする請求項１６記載の光学読み込み装置。
【請求項２７】
前記液晶層と電極セットのうち１個の電極はレンズ内に設けられ、電極セットのその他の電極はレンズ外に設けられることを特徴とする請求項１６記載の光学読み込み装置。
【請求項２８】
前記液晶層はレンズ内に設けられ、前記電極セットはレンズ外に設けられることを特徴とする請求項１６記載の光学読み込み装置。
【請求項２９】
前記液晶層がレンズ外に設けられることを特徴とする請求項１６記載の光学読み込み装置。
【請求項３０】
前記液晶層と電極セットがレンズ外に設けられることを特徴とする請求項１６記載の光学読み込み装置。
【請求項３１】
前記液晶層と電極セットのうち１個の電極はレンズ外に設けられ、電極セットのその他の電極はレンズ内に設けられることを特徴とする請求項１６記載の光学読み込み装置。
【発明の詳細な説明】
【技術分野】
【０００１】
この発明は収差を補正することができる光学読み込み装置に関し、特に液晶層を利用して収差を補正する光学読み込み装置に関する。
【背景技術】
【０００２】
光学システムにおいて、レンズは光線を収束、屈折かつ透過させるものとして利用される。理想的には、光学システムにおけるレンズは予定通りに結像できることが望まれる。しかし実際、素材または製作工程により、収差が生じるなど理想的な状態にならない場合が多い。それ以外、光学システムに対する予想外の不当操作（例えば不注意により光ディスクを水平に置かないことによって、傾斜角を持たせるまま光ディスクドライブに読み込ませること）も、光学システムの表示品質及びデータ読み込みを大きく影響する。
【０００３】
光学システムにおけるレンズの収差は一般に球面収差、コマ収差、非点収差、像面湾曲などに分けられる。コマ収差とは、光軸に対して傾いて入射した光線と平行に入射した光線が１点に結像できず、彗星が尾を引いた形の像を生じさせる現象をいう。言い換えれば、コマ収差は、光線が光軸からずれる場合におけるレンズの球面収差であり、入射光とデータ読み込み表面の傾斜角が大きい場合に生じるものである。その値は下記の式で計算される。
【０００４】
【数１】
2007157310.tif 000003
上記の式において、ｄは光ディスクの厚さを示し、ＮＡは光ディスクドライブの開口数を示し、λは光線の波長を示し、θは光ディスクの傾斜角を示し、ｎは光ディスクにおける光線の屈折率を示す。
【０００５】
技術の発展とともに、保存媒体の容量に対する要求も日増しに増えつつある。図１を参照する。図１は種々の保存媒体の規格を表す表である。図１によれば、従来のＣＤとＤＶＤと比べて、大容量のＢＤ（ブルーレイディスク）とＨＤ−ＤＶＤは未来の主流になると予想される。ＢＤとＨＤ−ＤＶＤのドライブはいずれも波長４０５ｎｍの青色レーザーをデータ読み込み用の光線として利用する。保存媒体からより多くのデータを読み込めるようにさせるため、ＢＤドライブのレンズはより大きい開口数を有する。なお、ＢＤの記憶層は片面単層、厚さ０．１ｍｍのものであり、片面二層、厚さ０．６ｍｍのＤＶＤ、ＨＤ−ＤＶＤよりも、レーザーの拡散を減少させ、高密度のデータ保存容量を提供できる。コマ収差が波長と反比例し、開口数の３乗が光ディスクの厚さと正比例するので、ＢＤとＨＤ−ＤＶＤのドライブの許容傾斜角は従来よりも低く、コマ収差も生じやすい。ディスクの位置にわずかなずれさえあれば、データ読み込みは順調に行えない。
【０００６】
図２を参照する。図２はアメリカ公開特許US2004/0042356号に掲げられる光学システム２０を表す説明図である。光学システム２０は保存媒体２１と、光学ピックアップヘッド２２と、スピンドルモーター２４と、傾斜補正器（チルトコレクター）２６と、ＬＰＰ（land  pre-pits）信号発生器２７と、ＲＦ（無線周波数）信号発生器２８と、傾斜補正量計算器２９とを含む。光学センサーを有する光学ピックアップヘッド２２は、保存媒体２１から信号を検知し、更に信号をＬＰＰ信号発生器２７とＲＦ信号発生器２８に送信する。傾斜補正量計算器２９はＬＰＰ信号発生器２７とＲＦ信号発生器２８によるＬＰＰ信号とＲＦ信号に基づいて、保存媒体２１の傾斜量を計算し、それに対応する傾斜補正量を傾斜補正器２６に送信する。これにより、保存媒体２１の傾斜量によって、光学ピックアップヘッド２２読み込み時の傾斜角を補正し、光学システム２０のコマ収差を低減させることが可能である。しかし、収差補正用の傾斜補正器２６を別途に設けることはもちろん、コスト増と制御の複雑さにつながる。
【０００７】
図３を参照する。図３はアメリカ公開特許US2002/0067672号に掲げられる光学システム３０を表す説明図である。光学システム３０は発光素子１０、１２と、光学センサー１４と、コンフラックスプリズム３１と、コリメーターレンズ３２と、ゲート３３と、偏光ビームスプリッター（ＰＢＳ）３４と、集束レンズ３５と、液晶層３６と、対物レンズ３７と、アクチュエーター３８からなる。光学ピックアップヘッド３０はアクチュエーター３８を利用して保存媒体２１読み込み時の収差を補正する。アクチュエーター３８はフォーカス領域とトラッキング領域を有する。光学センサー１４に検知された信号に基づき、アクチュエーター３８のフォーカス領域は対物レンズ３７と保存媒体２１間の距離を調整し、トラッキング領域は対物レンズ３７の角度を調整する。この方法も収差を補正するため別途にアクチュエーター３８を設けなければならないので、前記公開特許と同じくコスト増と制御の複雑さが問題となる。
【０００８】
図４を参照する。図４はアメリカ公開特許US2004/0125711号に掲げられる光学システム４０を表す説明図である。光学システム４０は発光素子４２と、スピンドルモーター４３と、ＰＢＳ４４と、光学センサー４５と、液晶層４６と、制御回路４７と、レンズＬ１−Ｌ３と、酸化インジウムすず電極ＩＴＯ１とＩＴＯ２からなる。光学ピックアップヘッド４０において、制御回路４７は、光学センサー４５が開ループ法で検知された信号に基づき、補正電圧を酸化インジウムすず電極ＩＴＯ１とＩＴＯ２に送信する。これにより、保存媒体２１の傾斜量に基づいて、光学ピックアップヘッド４０読み込み時の収差を補正することが可能である。しかし、液晶層４６の両側にある酸化インジウムすず電極ＩＴＯ１とＩＴＯ２の電圧を変化させるのみで収差を有効に補正することができない。のみならず、収差の程度に応じて適度に補正することもできない。
【０００９】
したがって、従来の技術では、光学システムにコントローラー（例えば傾斜補正器２６とアクチュエーター３８）を別途に設けることによってレンズの角度を調整するか、あるいは液晶層の両側にある酸化インジウムすず電極に印加される電圧を変化させることによって、光学システムのコマ収差を低減させることが考えられる。しかし、そのいずれもコスト増と制御の複雑さにつながるのみならず、収差を有効に補正できず、収差の程度に応じて適度に補正することもできない。
【発明の開示】
【発明が解決しようとする課題】
【００１０】
この発明は前述の問題を解決するため、収差補正を可能にする光学読み込み装置及び集光装置を提供することを課題とする。
【課題を解決するための手段】
【００１１】
この発明は収差を補正できる集光装置を提供する。該集光装置は、保存媒体に保存されるデータを読み込むための光線を保存媒体に集束するレンズと、集光装置が光線を保存媒体に集束する光路に設けられ、レンズと結合する液晶層と、液晶層の両側に設けられ、液晶層の電場を変化させる両電極からなる電極セットとを含む。
【００１２】
この発明は更に、収差を補正できる光学読み込み装置を提供する。該光学読み込み装置は、光線を提供する発光素子と、保存媒体に保存されるデータを読み込むための発光素子による光線を保存媒体に集束するレンズと、発光素子から保存媒体までの光路に設けられる液晶層と、発光素子から保存媒体までの光路に設けられ、液晶層の電場を変化させる電極からなる電極セットとを含む。該電極セットは、液晶層の第一側に平行するように液晶層の第一側に設けられる第一電極と、第一電極に平行しないように液晶層の第二側に設けられる第二電極とを含む。
【発明の効果】
【００１３】
この発明による光学システムは液晶層の屈折率を変化させ、更に電極セットの配列を巧妙に変化させることによって、光学システムのコマ収差を補正する。そのため、この発明による光学システムは、保存媒体またはレンズの角度を調整するスピンドルモーターまたはコントローラーによらずとも、コマ収差を有効に補正することができる。したがって、この発明による光学システムは低コストかつ制御の簡単な装置である。
【発明を実施するための最良の形態】
【００１４】
かかる装置の特徴を詳述するために、具体的な実施例を挙げ、図を参照して以下に説明する。
【実施例１】
【００１５】
図５を参照する。図５はこの発明の実施例１による光学システム５０を表す説明図である。光学システム５０は発光素子５２と、液晶層５４と、レンズ５６と、電源５８と、電極Ａ１−Ａ４と、スイッチＳＷ１−ＳＷ４を含む。発光素子５２は、保存媒体２１を読み込むための光源を提供するレーザーダイオード（ＬＤ）であり、レンズ５６は発光素子５２と保存媒体２１の間に設けられ、発光素子５２による光線を保存媒体２１の表面に集束する。それによって保存媒体２１のデータは読み取られる。
【００１６】
実施例１では、レンズ５６はプラスチックまたはガラスからなり、射出成形または鋳造法で製作されるものである。レンズ５６は上レンズ５５と下レンズ５７からなる。その製作方法として、まず電極Ａ１−Ａ４を物理的気相堆積（ＰＶＤ）法または化学的気相堆積（ＣＶＤ）法で上レンズ５５と下レンズ５７の間に形成し、更に液晶層５４を形成する。最後に上レンズ５５と下レンズ５７を接着して封止する。図５によれば、電極Ａ１−Ａ４はそれぞれ液晶層５４の両側に設けられる。電極Ａ１とＡ２は液晶層５４の両側に平行に設けられ、相互に平行する電極Ａ３とＡ４は、電極Ａ１、Ａ２と平行しないように液晶層５４の両側に設けられる。電源５８は液晶層５４の両側にある電極に電圧を提供し、光線の進行方向における液晶層５４の電場を変化させる。実施例１では、電源５８はスイッチＳＷ１−ＳＷ４により電極Ａ１−Ａ４とそれぞれ電気的に接続される。
【００１７】
液晶層５４の光線屈折率が印加電場に関連する。したがって、この発明による光学システム５０は電源５８で電極Ａ１−Ａ４に電圧を印加し、液晶層５４の印加電場を変更するとともに、光線の屈折率を変化させることによって、光学システム５０のコマ収差を補正する。図６と図７を参照する。図６と図７はこの発明による光学システム５０の操作時における等価光学システム６０、７０を表す説明図である。図６によれば、電源５８はスイッチＳＷ１、ＳＷ３を通して電極Ａ１、Ａ３とそれぞれ電気的に接続される。電極Ａ３と液晶層５４の間隔距離が一致していないため、電源５８で電極Ａ１、Ａ３の間に電圧差を提供すると、電極Ａ１、Ａ３は光線の進行方向において液晶層５４に対し相違する印加電場を提供することとなる。したがって、液晶層５４は位置によって異なる屈折率を有する。この場合、光学システム５０のレンズは図６における等価レンズ６６に相当する。同じく、図７によれば、電源５８はスイッチＳＷ２、ＳＷ４を通して電極Ａ２、Ａ４とそれぞれ電気的に接続される。電極Ａ４と液晶層５４の間隔距離が一致していないため、電源５８で電極Ａ２、Ａ４の間に電圧差を提供すると、電極Ａ２、Ａ４は光線の進行方向において液晶層５４に対し相違する印加電場を提供することとなる。したがって、液晶層５４は位置によって異なる屈折率を有する。この場合、光学システム５０のレンズは図７における等価レンズ７６に相当する。図６と図７において、電源５８で電圧差を提供すると、光学システム５０のレンズは等価レンズ６６、７６に相当することとなる。そのため、この発明は、光線の進行方向を変化させることによって、保存媒体２１の傾斜角によるコマ収差を補正できる。したがって、保存媒体２１の傾斜角が大きくなると、この発明による光学システム５０は検知された収差に基づいて電源５８の出力電圧を決め、電源５８と電気的に接続される電極を選ぶことによって、液晶層５４の屈折率を変化させてコマ収差を補正し、光学システム５０の読み込み効率を向上させる。
【実施例２】
【００１８】
図８を参照する。図８はこの発明の実施例２による光学システム８０を表す説明図である。光学システム８０は発光素子５２と、液晶層８４と、レンズ８６と、電源５８と、電極Ｂ１−Ｂ４と、スイッチＳＷ１−ＳＷ４を含む。実施例１による光学システム５０と異なり、光学システム８０において、電極Ｂ１−Ｂ４はレンズ８６の外部に設けられる。電極Ｂ１とＢ２はレンズ８６の両側に平行に設けられ、相互に平行する電極Ｂ３とＢ４は、電極Ｂ１、Ｂ２と平行しないようにレンズ８６の両側に設けられる。保存媒体２１の傾斜角が大きくなると、この発明による光学システム８０は検知された収差に基づいて電源５８の出力電圧を決め、電源５８と電気的に接続される電極を選ぶことによって、液晶層８４の屈折率を変化させてコマ収差を補正し、光学システム８０の読み込み効率を向上させる。
【実施例３】
【００１９】
図９を参照する。図９はこの発明の実施例３による光学システム９０を表す説明図である。光学システム９０は発光素子５２と、液晶層９４と、レンズ９６と、電源５８と、電極Ｃ１−Ｃ４と、スイッチＳＷ１−ＳＷ４を含む。実施例１による光学システム５０と異なり、光学システム９０において、電極Ｃ２、Ｃ３はレンズ９６の外部に設けられ、電極Ｃ１、Ｃ４はレンズ９６の内部に設けられる。電極Ｃ１とＣ２はレンズ９６の内部と外部に平行に設けられ、相互に平行する電極Ｃ３とＣ４は、電極Ｃ１、Ｃ２と平行しないようにレンズ９６の外部と内部に設けられる。保存媒体２１の傾斜角が大きくなると、この発明による光学システム９０は検知された収差に基づいて電源５８の出力電圧を決め、電源５８と電気的に接続される電極を選ぶことによって、液晶層９４の屈折率を変化させてコマ収差を補正し、光学システム８０の読み込み効率を向上させる。
【実施例４】
【００２０】
図１０を参照する。図１０はこの発明の実施例４による光学システム１００を表す説明図である。光学システム１００は発光素子５２と、液晶層１０４と、レンズ１０６と、パシベーション膜１０３と、電源５８と、電極Ｄ１−Ｄ４と、スイッチＳＷ１−ＳＷ４を含む。実施例１による光学システム５０と異なり、光学システム１００はパシベーション膜１０３を有し、その液晶層１０４はレンズ１０６の外部に設けられる。電極Ｄ２、Ｄ３はレンズ１０６の外部に設けられ、電極Ｄ１、Ｄ４はレンズ１０６の内部に設けられる。電極Ｄ１とＤ２はレンズ１０６の内部と外部に平行に設けられ、相互に平行する電極Ｄ３とＤ４は、電極Ｄ１、Ｄ２と平行しないようにレンズ１０６の外部と内部に設けられる。保存媒体２１の傾斜角が大きくなると、この発明による光学システム１００は検知された収差に基づいて電源５８の出力電圧を決め、電源５８と電気的に接続される電極を選ぶことによって、液晶層１０４の屈折率を変化させてコマ収差を補正し、光学システム１００の読み込み効率を向上させる。
【実施例５】
【００２１】
図１１を参照する。図１１はこの発明の実施例５による光学システム１１０を表す説明図である。光学システム１１０は発光素子５２と、液晶層１１４と、レンズ１１６と、パシベーション膜１１３と、電源５８と、電極Ｅ１−Ｅ４と、スイッチＳＷ１−ＳＷ４を含む。実施例１による光学システム５０と異なり、光学システム１１０はパシベーション膜１１３を有し、その液晶層１１４と電極Ｅ１−Ｅ４はいずれもレンズ１１６の外部に設けられる。電極Ｅ１とＥ２はレンズ１１６の両側に平行に設けられ、相互に平行する電極Ｅ３とＥ４は、電極Ｅ１、Ｅ２と平行しないようにレンズ１１６の両側に設けられる。保存媒体２１の傾斜角が大きくなると、この発明による光学システム１１０は検知された収差に基づいて電源５８の出力電圧を決め、電源５８と電気的に接続される電極を選ぶことによって、液晶層１１４の屈折率を変化させてコマ収差を補正し、光学システム１１０の読み込み効率を向上させる。
【００２２】
この発明による光学システム５０、８０−１１０の電極として酸化インジウムすずを採用しうる。透明材料である酸化インジウムすずは、光線の進行を妨害しない特長を有する。なお、光学システム５０、８０−１１０は従来のＣＤ、ＤＶＤドライブまたはＢＤ、ＨＤ−ＤＶＤドライブである。電源５８はスイッチＳＷ１−ＳＷ４またはその他の手段を通して、対応する電極と電気的に接続される。弾力性のある収差補正を提供するためには、光学システムの特性に応じて電極セットの電極を種々の角度を持たせるように設けることが可能である。
【００２３】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００２４】
この発明による光学システムは液晶層の屈折率を変化させ、更に電極セットの配列を巧妙に変化させることによって、光学システムのコマ収差を補正する。そのため、この発明による光学システムは、保存媒体またはレンズの角度を調整するスピンドルモーターまたはコントローラーによらずとも、コマ収差を有効に補正することができる。したがって、この発明による光学システムは低コストかつ制御の簡単な装置である。
【図面の簡単な説明】
【００２５】
【図１】種々の保存媒体の規格を表す表である。
【図２】アメリカ公開特許US2004/0042356号に掲げられる光学システムを表す説明図である。
【図３】アメリカ公開特許US2002/0067672号に掲げられる光学システムを表す説明図である。
【図４】アメリカ公開特許US2004/0125711号に掲げられる光学システムを表す説明図である。
【図５】この発明の実施例１による光学システムを表す説明図である。
【図６】図５における光学システム操作時の第一等価図である。
【図７】図５における光学システム操作時の第二等価図である。
【図８】この発明の実施例２による光学システムを表す説明図である。
【図９】この発明の実施例３による光学システムを表す説明図である。
【図１０】この発明の実施例４による光学システムを表す説明図である。
【図１１】この発明の実施例５による光学システムを表す説明図である。
【符号の説明】
【００２６】
１０、１２、４２、５２                 発光素子
１４、４５                             光学センサー
２０、５０、８０、９０、１００、１１０ 光学システム
２１                                   保存媒体
２２、３０、４０                       光学ピックアップヘッド
２４、４３                             スピンドルモーター
２６                                   傾斜補正器
２７                                   ＬＰＰ信号発生器
２８                                   ＲＦ信号発生器
３１                                   コンフラックスレンズ
３２                                   コリメーターレンズ
３３                                   ゲート
３５                                   ＰＢＳ
３６、４６、５４、８４、９４、１０４、１１４  液晶層
３７                                   対物レンズ
３８                                   アクチュエーター
４７                                   制御回路
５５                                   上レンズ
５６、８６、９６、１０６、１１６、Ｌ１−Ｌ３  レンズ
５７                                   下レンズ
５８                                   電源
６６、７６                             等価レンズ
６０、７０                             等価光学システム
１０３、１１３                         パシベーション膜
Ａ１−Ａ４、Ｂ１−Ｂ４、Ｃ１−Ｃ４、   電極
Ｄ１−Ｄ４、Ｅ１−Ｅ４、
ＩＴＯ１、ＩＴＯ２                      酸化インジウムすず電極
ＳＷ１−ＳＷ４                         スイッチ
【図１】
2007157310.tif 000004
【図２】
2007157310.tif 000005
【図３】
2007157310.tif 000006
【図４】
2007157310.tif 000007
【図５】
2007157310.tif 000008
【図６】
2007157310.tif 000009
【図７】
2007157310.tif 000010
【図８】
2007157310.tif 000011
【図９】
2007157310.tif 000012
【図１０】
2007157310.tif 000013
【図１１】
2007157310.tif 000014